(57)【要約】      （修正有）【課題】画像形成指示の操作を容易化した情報処理装置を提供する。【解決手段】指示具（指）が近接または接触した位置を検出可能であり、かつ画像を表示可能に構成されたタッチパネルと、タッチパネルに画像形成設定情報に対応する選択ＧＵＩ（スライドバー）を表示可能な表示制御部（制御部）と、指示具がタッチパネルに近接または接触した状態になってから、近接または接触した状態が解除されるまでの指示具の選択ＧＵＩに対する動作に基づいて、画像形成設定情報を取得し、画像形成設定情報に基づいて、記録媒体に対する画像形成の実行を指示可能に構成された画像形成指示部（制御部）と、を含む。【選択図】図２
2016009435.tif 000002
【特許請求の範囲】
【請求項１】
指示具が近接または接触した位置を検出可能であり、かつ画像を表示可能に構成されたタッチパネルと、  前記タッチパネルに画像形成設定情報に対応する選択ＧＵＩを表示可能な表示制御部と、
前記指示具が前記タッチパネルに近接または接触した状態になってから、該近接または接触した状態が解除されるまでの前記指示具の前記選択ＧＵＩに対する動作に基づいて、前記画像形成設定情報を取得し、該画像形成設定情報に基づいて、記録媒体に対する画像形成の実行を指示可能に構成された画像形成指示部と、を含む
ことを特徴とする情報処理装置。
【請求項２】
前記表示制御部は、前記画像形成設定情報に関連付けられた、前記タッチパネルの第一軸方向に伸びるスライドバーを含む前記選択ＧＵＩを前記タッチパネルに表示可能に構成され、
前記画像形成指示部は、前記タッチパネルにより前記指示具によって前記スライドバーが前記第一軸方向にスライド操作されたことが検出されたとき、該スライドバーに関連付けられた前記画像形成設定情報を変更するよう処理可能に構成された
ことを特徴とする請求項１に記載の情報処理装置。
【請求項３】
タッチパネルに画像形成設定情報に対応する選択ＧＵＩを表示する第１ステップと、
指示具が前記タッチパネルに近接または接触した位置を検出する第２ステップと、
前記指示具が前記タッチパネルに近接または接触した状態になってから、該近接または接触した状態が解除されるまでの前記指示具の前記選択ＧＵＩに対する動作に基づいて、画像形成設定情報を取得する第３ステップと、
前記画像形成設定情報に基づいて、記録媒体に対する画像形成の実行を指示する第４ステップと、を含む
ことを特徴とする画像形成処理方法。
【発明の詳細な説明】
【技術分野】
【０００１】
本発明の一態様は、画像形成装置に画像を形成させることができる情報処理装置に関し、特に、容易に画像形成の設定を変更可能な情報処理装置などに関する。
【背景技術】
【０００２】
情報処理装置を操作して画像形成装置（プリンタ）に画像形成（印刷）を実行させる際、ユーザは、印刷部数や印刷品質などの印刷設定を選択し、決定する。一方で近年、タッチパネルを採用したスマートフォン、タブレット機器、またはＰＣ（Ｐｅｒｓｏｎａｌ  Ｃｏｍｐｕｔｅｒ）などの情報処理装置が普及してきている。このような情報処理装置で画像形成を実行する際には、ユーザは、タッチパネルを操作して印刷設定を選択し、決定することがある。例えば、特許文献１には、携帯端末のタッチスクリーンの画面上でフリック操作を検出したら、フリック方向に対応する印刷装置に対して印刷を指示する技術、及びフリック回数に応じて印刷部数を変化させる技術について開示されている。また、特許文献２には、タッチパネルを備える情報処理端末装置において、メニュー表示の操作性を向上させる技術について開示されている。
【先行技術文献】
【特許文献】
【０００３】
【特許文献１】特開２０１３−１６４７６１号公報
【特許文献２】特開２００３−３３０６１３号公報
【発明の概要】
【発明が解決しようとする課題】
【０００４】
しかしながら、上記特許文献１及び特許文献２に記載の技術を含む従来の技術では、タッチパネルによる操作として最適とはいえず、ユーザによる操作は煩雑な部分が残っていた。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
指示具（指３００）が近接または接触した位置を検出可能であり、かつ画像を表示可能に構成されたタッチパネル（１２０）と、
前記タッチパネルに画像形成設定情報に対応する選択ＧＵＩ（スライドバー３３０）を表示可能な表示制御部（制御部１００）と、
前記指示具が前記タッチパネルに近接または接触した状態になってから、該近接または接触した状態が解除されるまでの前記指示具の前記選択ＧＵＩに対する動作に基づいて、前記画像形成設定情報を取得し、該画像形成設定情報に基づいて、記録媒体に対する画像形成の実行を指示可能に構成された画像形成指示部（制御部１００）と、を含む
ことを特徴とする情報処理装置（携帯端末１０）である。
【０００７】
本発明の手段３は、
タッチパネルに画像形成設定情報に対応する選択ＧＵＩ（スライドバー３３０）を表示する第１ステップ（Ｓ２００）と、
指示具（指３００）が前記タッチパネルに近接または接触した位置を検出する第２ステップ（Ｓ２００）と、
前記指示具が前記タッチパネルに近接または接触した状態になってから（Ｓ２１０）、該近接または接触した状態が解除されるまで（Ｓ２５０）の前記指示具の前記選択ＧＵＩに対する動作に基づいて、画像形成設定情報を取得する（Ｓ２４０）第３ステップと、
前記画像形成設定情報に基づいて、記録媒体に対する画像形成の実行を指示する第４ステップ（Ｓ２６０）と、を含む
ことを特徴とする画像形成処理方法である。
【０００８】
上記の情報処理装置または画像形成処理方法によれば、例えば、ユーザがタッチパネルにタッチしてから離すまでの一連のタッチパネルの操作によって、容易に画像形成装置に画像形成を指示することが可能となる。
【０００９】
本発明の手段２は、
前記表示制御部（制御部１００）は、前記画像形成設定情報に関連付けられた、前記タッチパネル（１２０）の第一軸方向（横方向）に伸びるスライドバー（３３０）を含む前記選択ＧＵＩを前記タッチパネル（１２０）に表示可能に構成され、
前記画像形成指示部（制御部１００）は、前記タッチパネルにより前記指示具によって前記スライドバーが前記第一軸方向（横方向）にスライド操作されたことが検出されたとき、該スライドバーに関連付けられた前記画像形成設定情報を変更するよう処理可能に構成された
ことを特徴とする手段１の情報処理装置である。
【００１０】
上記の情報処理装置によれば、ユーザがさらに直感的で簡単な操作で、画像形成装置に画像形成を指示することが可能となる。
【図面の簡単な説明】
【００１１】
【図１】携帯端末の構成例を示す図。
【図２】画像形成処理の具体例を示すフローチャート。
【図３】表示部における画面表示の具体例を示す図。
【図４】表示部における画面表示の具体例を示す図。
【図５】表示部における画面表示の具体例を示す図。
【図６】表示部における画面表示の具体例を示す図。
【発明を実施するための形態】
【００１２】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）携帯端末の構成例
（２）画像形成処理の具体例
２．実施形態２
３．補足事項
４．本発明の特徴
【００１３】
＜１．実施形態１＞
まず、本発明の実施形態１について、図１乃至図５を参照しながら説明する。なお、本発明の携帯端末は、例えばスマートフォン、タブレット機器、またはＰＣ（Ｐｅｒｓｏｎａｌ  Ｃｏｍｐｕｔｅｒ）などの情報処理装置を指すものである。
【００１４】
＜（１）携帯端末の構成例＞
図１は、本実施形態の情報処理装置としての携帯端末の構成例を示す図である。図１に示すように、本実施形態の携帯端末１０は、制御部１００、表示部１１０、タッチパネル１２０、通信部１３０、及びメモリ１４０を含んで構成される。
【００１５】
＜制御部１００＞
制御部１００は、携帯端末１０の中央処理装置であって、タッチパネル１２０に対するユーザのタッチ操作に応じて種々の処理を実行し、表示部１１０などを制御可能に構成される。特に、本実施形態では、画像形成装置（プリンタ）に画像形成を指示する画像形成指示部、及び表示部１１０における表示を制御する表示制御部としての機能を実現可能に構成される。
【００１６】
制御部１００は、画像形成指示部として、ユーザの指（後述の指３００）がタッチパネル１２０に接触した状態になってから離れるまでの指の動作に基づいて、画像形成設定情報を取得可能に構成される。これらの画像形成設定情報には、例えば、印刷部数、及び印刷品質などの１以上の設定情報が含まれる。そして制御部１００は、ここで取得した画像形成設定情報に基づいて、記録媒体（紙など）に対する画像形成を実行させるための画像形成指示情報を、通信部１３０を介して画像形成装置に対して実行可能に構成される。このとき、制御部１００は、タッチパネル１２０と一体的に形成された表示部１１０に表示されるスライドバーに対する指によるスライド操作が検出されたとき、このスライドバーに関連付けられた画像形成設定情報を変更するよう処理可能に構成される。このスライドバーに対するユーザによる操作の具体例については後述する。
【００１７】
また、制御部１００は、表示制御部として、タッチパネル１２０と一体的に形成された表示部１１０に画像を表示可能に構成される。特に本実施形態では、制御部１００は、表示部１１０にプリンタアイコン、画像形成設定情報、及びスライドバーなどを表示可能に構成される。
【００１８】
＜表示部１１０＞
表示部１１０は、ＬＣＤまたは有機ＥＬディスプレイなどによって構成された表示部分であり、表示制御部として機能する制御部１００の制御により、所定の画像（映像を含む）を表示可能に構成される。特に本実施形態では、上記のように、スライドバーなどのＧＵＩ（グラフィカル・ユーザ・インタフェース）を表示可能に構成される。
【００１９】
＜タッチパネル１２０＞
タッチパネル１２０は、ユーザの指などの指示具による接触位置を検出し、検出した接触位置を逐次制御部１００に出力可能に構成される。なお、タッチパネル１２０は、ユーザの指の接触だけではなく、ユーザの指が近接または接触したことを検出可能に構成されてもよい。タッチパネル１２０が指の近接位置を検出可能に構成されている場合には、ユーザは必ずしも指でタッチパネル１２０にタッチする必要はなく、タッチパネル１２０に指を近づけるだけで携帯端末１０を操作可能となる。
【００２０】
＜通信部１３０＞
通信部１３０は、携帯端末１０が画像形成装置を含む外部機器とデータの送受信を実行可能にするための機能を備えて構成される。より具体的には、通信部１３０は、制御部１００が取得した画像形成設定情報を、印刷画像のデータ及び画像形成指示情報とともに画像形成装置に送信可能に構成される。また、通信部１３０は、画像形成装置から画像形成が完了したこと、または画像形成の実行時にエラーが発生したことなどを示す情報を、画像形成装置から受信可能に構成される。
【００２１】
＜メモリ１４０＞
メモリ１４０は、フラッシュメモリ、ＲＯＭ、及びＤＲＡＭなどの各種メモリを含む。すなわちメモリ１４０は、携帯端末１０の電源がオフになっても情報を記憶し続けることが可能なフラッシュメモリを含む。また、メモリ１４０は、携帯端末１０の制御部１００で実行されるソフトなどが書き換え不可能な状態で記憶されたＲＯＭを含む。さらに、メモリ１４０は、携帯端末１０で実行されているソフトなどのデータを一時的に記憶可能なＲＡＭを含む。
【００２２】
＜（２）画像形成処理の具体例＞
ここで、図２の画像形成処理を示すフローチャート、及び図３乃至図５の表示部１１０における画面表示の例を参照しながら、本実施形態の画像形成処理の流れについて説明する。以下の説明では、まず図２のフローチャートで画像形成処理の全体について説明し、その後、画像形成処理の流れに沿った画面表示について説明する。
【００２３】
＜Ｓ２００〜Ｓ２１０＞
携帯端末１０で処理される画像形成処理では、ユーザが指示具（指、またはその他の接触を検出可能なものを含む）でタッチパネル１２０に接触したことが検出されると（Ｓ２００）、制御部１００は、一定時間以上（例えば０．５秒以上）、指示具がタッチパネル１２０の同じ箇所に接触を継続したかどうかを確認する（Ｓ２１０）。
【００２４】
＜Ｓ２２０＞
指示具がタッチパネル１２０上の同じ箇所を継続的に接触したことが検出されたら（Ｓ２１０でＹ）、制御部１００は、表示部１１０に画像形成設定を変更可能なスライドバーと、現在の画像形成設定情報の内容とを表示する（Ｓ２２０）。
【００２５】
＜Ｓ２３０〜Ｓ２４０＞
次に、タッチパネル１２０と一体的に形成された表示部１１０に表示されたスライドバーの中央に指示具がタッチしたことが検出されたら（Ｓ２３０でＹ）、制御部１００は、スライドバーに対するユーザの指示具による操作を検出する（Ｓ２４０）。ここで、制御部１００は、検出された指示具によるタッチパネルの操作に基づいて、画像形成設定情報を変更する。画像形成設定情報が変更されたら、表示部１１０に表示された、現在の画像形成設定情報の内容に関する表示も同時に更新される。ここで変更される画像形成設定の具体例としては、印刷部数、印刷品質、両面印刷を実行するか否か、印刷用紙のサイズ、印刷の縮小または拡大のサイズ、印刷の向き（縦または横）、割り付け印刷の内容、及びモノクロ印刷またはカラー印刷の指定などの一般的な印刷設定の中の少なくとも１つが含まれる。なお、本実施形態では、ユーザが極力簡単な操作で印刷を実行可能にするため、印刷部数についてのみを画像形成設定として設定可能にする具体例を挙げる。
【００２６】
＜Ｓ２５０＞
スライドバーの中心に指示具がタッチしたことが検出されず（Ｓ２３０でＮ）、またはＳ２４０での処理が終了したら、制御部１００は、表示部１１０に表示されたプリンタアイコン上でデ・タッチ操作が行われたかを検出する（Ｓ２５０）。デ・タッチ操作とは、タッチパネルから指示具が離れることを意味しており、ここでは、プリンタアイコン上まで接触状態を継続していた指示具が、このプリンタアイコン上で接触状態を解除したことを、制御部１００が検出したかどうかを判定するものである。なお、プリンタアイコンは、表示部１１０上に表示される、ユーザが印刷処理の決定を指示したかどうかを判定するためのＧＵＩである。
【００２７】
＜Ｓ２６０＞
制御部１００がプリンタアイコン上でデ・タッチ操作が行われたことを検出したら（Ｓ２５０でＹ）、制御部１００は、表示部１１０に表示されていたスライドバー及び現在の画像形成設定情報の内容を非表示にして、携帯端末１０と無線接続された画像形成装置に対して、通信部１３０を介して画像形成指示を送信する。この画像形成指示には、画像形成設定情報、画像形成対象の画像データ、及び画像形成指示情報が含まれる。画像形成対象の画像データとは、ユーザが印刷しようとする、制御部１００がメモリ１４０から読み出した画像データである。
【００２８】
＜Ｓ２７０＞
一方で、指示具が一定時間以上同じ箇所を継続的に接触したことが検出されなかった場合（Ｓ２１０でＮ）、またはデ・タッチ操作がプリンタアイコン以外の箇所で実行された場合（Ｓ２５０でＮ）、制御部１００は、画像形成指示を行うことなく、表示部１１０のスライドバー及び現在の画像形成設定情報の内容を非表示にする。すなわち、本実施形態の携帯端末１０では、一定時間以上タッチパネル１２０上の同じ箇所をタッチしたことを画像形成の実行のトリガとする。また、携帯端末１０では、プリンタアイコン上以外のタッチパネル１２０上の箇所でデ・タッチ操作が行われた場合には、画像形成の実行がキャンセルされたものとして処理される。
【００２９】
＜Ｓ２８０＞
上記のＳ２６０によって画像形成指示が行われること、またはＳ２７０によって画像形成指示を行わないことが決定されたら、画像形成処理が終了する（Ｓ２８０）。
【００３０】
＜画面表示の例＞
次に、画像形成処理を実行中の携帯端末１０における表示部１１０での画面表示の例について説明する。
【００３１】
まず、ユーザが携帯端末１０のメモリ１４０に記憶された画像を表示部１１０に表示する処理を実行すると、表示部１１０には図３（ａ）の表示がなされる。ここで、ユーザが指でタッチパネル１２０の下部付近に接触し（図３（ｂ））、この接触が一定時間（例えば０．５秒）継続されると（Ｓ２１０でＹ）、制御部１００は、表示部１１０にプリンタアイコン３１０、画像形成設定情報３２０、及びスライドバー３３０、を表示する（Ｓ２２０）（図３（ｃ−１））。一方で、ユーザの指が移動したり（図３（ｃ−２））、ユーザの指がすぐに離れたりしたときは（図３（ｃ−３））、制御部１００は、表示部１１０にプリンタアイコン３１０、画像形成設定情報３２０及びスライドバー３３０のいずれも表示することなく、画像形成処理を終了する（Ｓ２７０〜Ｓ２８０）。
【００３２】
そして、ユーザがタッチパネル１２０上で指をプリンタアイコン３１０の上までスライドさせると（図４（ｄ）〜図４（ｅ））、制御部１００は表示部１１０のスライドバー３３０を非表示にし、画像形成設定情報３２０のみを表示させる（図４（ｆ））。ここで、ユーザがプリンタアイコン３１０から別の場所に指をスライドさせると（Ｓ２５０でＮ）（図４（ｇ−１））、制御部１００は画像形成処理を終了する（Ｓ２７０〜Ｓ２８０）。一方で、ユーザがプリンタアイコン３１０上で指を離すと（デ・タッチ操作が行われると）（Ｓ２５０でＹ）（図４（ｇ−２））、制御部１００は通信部１３０を介して、現在の画像形成設定情報、画像データ、及び画像形成指示情報を含む画像形成指示を画像形成装置に送信し（Ｓ２６０）、画像形成処理を終了する（Ｓ２８０）。
【００３３】
一方で、ユーザが画像形成設定情報を変更する操作を行った場合には、以下のようなユーザ操作に対応する画面表示が行われる。
【００３４】
表示部１１０にプリンタアイコン３１０、画像形成設定情報３２０、及びスライドバー３３０が表示された状態で、ユーザが指でスライドバー３３０の中央に接触すると（Ｓ２３０でＹ）（図５（ａ））、ユーザのタッチパネルの操作によって画像形成設定情報が変更可能な状態となる。ここで、ユーザが指をスライドバー３３０の右側にスライドさせると、制御部１００はこの操作に応じて画像形成設定情報である印刷枚数を増加するよう変更し、同時に変更された画像形成設定情報を表示部１１０に表示する（Ｓ２４０）（図５（ｂ−１））。さらに、ユーザの指がスライドバーの右側に継続して接触されたままであれば、制御部１００はこの操作により、画像形成設定情報である印刷枚数をさらに増加するよう変更し、同時に変更された画像形成設定情報を表示部１１０に表示する（図５（ｃ））。一方で、ユーザが指をスライドバー３３０の左側にスライドさせると、制御部１００はこの操作に応じて画像形成設定情報である印刷枚数を減少するよう変更し、同時に変更された画像形成設定情報を表示部１１０に表示する（Ｓ２４０）（図５（ｂ−２））。
【００３５】
上記のように、ユーザの指によるタッチパネル１２０の操作によって、携帯端末１０による画像形成処理が実行される。
【００３６】
＜２．実施形態２＞
次に、本発明の実施形態２について、図６を参照しながら説明する。本実施形態では、実施形態１と比較して、携帯端末１０の構成、及び画像形成処理の内容はほぼ同様であるが、画像形成処理における表示部１１０に表示される内容が異なっており、これに伴う処理が相違する。以下の説明では、この実施形態１との相違点を中心に説明する。
【００３７】
＜画面表示の例＞
本実施形態において、画像形成処理を実行中の携帯端末１０における表示部１１０での画面表示の例について説明する。
【００３８】
ユーザが指でタッチパネル１２０の下部付近に一定時間（例えば０．５秒）以上、継続的に接触すると（Ｓ２１０でＹ）、表示部１１０にはプリンタアイコン３１０、画像形成設定情報３２０Ａ及び３２０Ｂ、並びにスライドバー３３０Ａ及び３３０Ｂが表示される（Ｓ２２０）（図６（ａ））。画像形成設定情報とスライドバーとは、それぞれ１つずつがセットになっており、本実施形態では画像形成設定情報３２０Ａ及びスライドバー３３０Ａ、画像形成設定情報３２０Ａ及びスライドバー３３０Ｂが、それぞれセットになっている。
【００３９】
表示部１１０にプリンタアイコン３１０、画像形成設定情報３２０Ａ及び３２０Ｂ、並びにスライドバー３３０Ａ及び３３０Ｂが表示された状態で、ユーザが指３００でスライドバー３３０Ａの中央に接触すると（Ｓ２３０でＹ）（図６（ｂ））、ユーザのタッチパネルの操作によって、スライドバー３３０Ａに対応する画像形成設定情報である印刷枚数が変更可能な状態となる。このとき、制御部１００は表示部１１０を制御して、スライドバー３３０Ａ、及び対応する画像形成設定情報３２０Ａを拡大表示させる。さらに、ユーザが指でスライドバー３３０Ｂの中央に接触すると（図６（ｃ））、ユーザのタッチパネルの操作によって、スライドバー３３０Ｂに対応する画像形成設定情報である印刷品質が変更可能な状態となる。このとき、制御部１００は表示部１１０を制御して、スライドバー３３０Ｂ、及び対応する画像形成設定情報３２０Ｂを拡大表示させる。
【００４０】
上記のように、ユーザの指によるタッチパネル１２０の操作によって、携帯端末１０による画像形成処理が実行される。
【００４１】
＜３．補足事項＞
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【００４２】
例えば、上記実施形態では、１または２の画像形成設定情報を変更可能な具体例について説明したが、画像形成処理において変更可能な画像形成設定情報を３以上としてもよい。ただし、１または２の画像形成設定情報だけを変更可能にすることは、表示部１１０の大きさが限定的であるスマートフォンやタブレット機器において有効である。
【００４３】
また、３以上の多数の画像形成設定情報を変更可能にし、変更する画像形成設定情報のうちの一部を表示部１１０に表示し、ユーザの操作によって、表示部１１０の表示内容をスクロール可能にしてもよい。この方法によれば、表示部１１０の大きさが限定的なスマートフォンまたはタブレット機器においても多くの画像形成設定情報を変更しやすくすることができる。
【００４４】
また、実施形態では、ユーザが指でタッチパネル１２０の下部付近を継続的にタッチすることで画像形成設定を表示する例について説明したが（Ｓ２１０〜Ｓ２２０）、必ずしもタッチパネル１２０の特定の部分を継続的にタッチすることは必要ではなく、タッチパネル１２０の任意の部分を継続的にタッチすることで、画像形成設定を表示する（Ｓ２２０）ように処理してもよい。
【００４５】
また、表示部１１０に表示されるスライドバーに代えて、設定変更用の別のＧＵＩを表示してもよい。この場合、例えば、該ＧＵＩ上に指示具が一定時間以上停止した場合に、画像形成設定情報を変更するように処理することなどが可能である。
【００４６】
＜４．本発明の特徴＞
以上、説明したような構成の記録装置は以下のような特徴を持つ。
【００４７】
本発明の情報処理装置（携帯端末１０）は、指示具（指３００）が近接または接触した位置を検出可能であり、かつ画像を表示可能に構成されたタッチパネル１２０と、タッチパネル１２０に画像形成設定情報に対応する選択ＧＵＩ（スライドバー３３０）を表示可能な表示制御部（制御部１００）と、指示具（指３００）がタッチパネル１２０に近接または接触した状態になってから、該近接または接触した状態が解除されるまで（デ・タッチ操作が行われるまで）の指示具（指３００）の選択ＧＵＩに対する動作に基づいて、画像形成設定情報を取得し、該画像形成設定情報に基づいて、記録媒体に対する画像形成の実行を指示可能に構成された画像形成指示部（制御部１００）と、を含むことを特徴とする。
【００４８】
また、本発明の画像形成処理方法は、タッチパネルに画像形成設定情報に対応する選択ＧＵＩ（スライドバー３３０）を表示する第１ステップ（Ｓ２００）と、指示具（指３００）がタッチパネルに近接または接触した位置を検出する第２ステップ（Ｓ２００）と、指示具（指３００）がタッチパネル１２０に近接または接触した状態になってから（Ｓ２１０）、該近接または接触した状態が解除されるまで（Ｓ２５０）の指示具（指３００）の選択ＧＵＩに対する動作に基づいて、画像形成設定情報を取得する（Ｓ２４０）第３ステップと、画像形成設定情報に基づいて、記録媒体に対する画像形成の実行を指示する第４ステップ（Ｓ２６０）と、を含むことを特徴とする。
【００４９】
上記の情報処理装置または画像形成処理方法によれば、例えば、ユーザがタッチパネルにタッチしてから離すまでの一連のタッチパネルの操作によって、容易に画像形成装置に画像形成を指示することが可能となる。
【００５０】
また、本発明の情報処理装置では、表示制御部（制御部１００）は、画像形成設定情報に関連付けられた、タッチパネル１２０の第一軸方向（横方向）に伸びるスライドバー３３０を含む選択ＧＵＩをタッチパネル１２０に表示可能に構成され、画像形成指示部（制御部１００）は、タッチパネル１２０により指示具（指３００）によってスライドバー３３０が第一軸方向（横方向）にスライド操作されたことが検出されたとき、該スライドバーに関連付けられた画像形成設定情報を変更するよう処理可能に構成されたことを特徴とする。
【００５１】
上記の情報処理装置によれば、ユーザがさらに直感的で簡単な操作で、画像形成装置に画像形成を指示することが可能となる。
【産業上の利用可能性】
【００５２】
本発明は、プリンタに対して印刷指示をすることができるスマートフォンまたはタブレット機器などの情報処理装置として好適に適用される。
【符号の説明】
【００５３】
１０…携帯端末
１００…制御部
１１０…表示部
１２０…タッチパネル
１３０…通信部
１４０…メモリ
３００…指
３１０…プリンタアイコン
３２０、３２０Ａ、３２０Ｂ…画像形成設定情報
３３０、３３０Ａ、３３０Ｂ…スライドバー
【図１】
2016009435.tif 000003
【図２】
2016009435.tif 000004
【図３】
2016009435.tif 000005
【図４】
2016009435.tif 000006
【図５】
2016009435.tif 000007
【図６】
2016009435.tif 000008